(57)【要約】      （修正有）【課題】植木鉢と水受皿に互換性を持たせ、一体化させた室内用の互換性のある水受皿一体型植木鉢を提供する。【解決手段】一体化させた水受皿一体型植木鉢の水受皿２の上部に溝３を設け、植木鉢１の内部の底に水受皿２の溝３に通じる排水口４を設ける。水遣りに際し余分な水は植木鉢１の底の排水口４を通って水受皿２の溝３に溜まり自然乾燥させる仕組みであるが、Ｙ型植木鉢と円形水受皿やＶ型植木鉢と角形水受皿など色々組合せて植木鉢１と水受皿２の接合部６をボルトやネジで合体固定し、又は凹凸により合体し、更には接着固定させて一体化させた。【選択図】図１−１
0003227082.tif 000002
【実用新案登録請求の範囲】
【請求項１】
（イ）植木鉢１の内部の底に水受皿２の溝３に通じる排水口４を設ける。
（ロ）水受皿２の上面に溝３を設ける。
（ハ）植木鉢１と水受皿２の接合部６をボルト８（図１の１０）雄ネジ９、雌ネジ７（図２の４）等で合体固定（図２の７）させる仕組みを設ける。
（二）植木鉢１の内部底の水滴が排水口４を流れて水受皿２の溝３に溜まり自然乾燥させる仕組みを設ける。
（ホ）植木鉢１と水受皿２はＹ型植木鉢と円形水受皿やＵ型植木鉢と角形水受皿などいろいろ組合せて接合部６で合体固定できる仕組みを設ける。
以上の如く成型された、互換性のある水受皿一体型植木鉢
【請求項２】
（イ）植木鉢１の内部の底に水受皿２の溝３に通じる排水口４を設ける。
（ロ）水受皿２の上面に溝３を設ける。
（ハ）植木鉢１と水受皿２の接合部６（図３の４）部分に凹部１１と凸部１０を設け、植木鉢１と水受皿２が合体安定（図３の７）させる仕組みを設ける。
（二）植木鉢１の内部底の水滴が排水口４に流れ水受皿２の排水路５を通り溝３に溜まり自然乾燥する仕組みを設ける。
（ホ）植木鉢１と水受皿２はＹ型植木鉢と円形水受皿やＵ型植木鉢と角形水受皿など色々組合せて接合部６で合体安定できる仕組みを設ける。
以上の如く成型された、互換性のある水受皿一体型植木鉢
【請求項３】
（イ）植木鉢１の内部の底に水受皿２の溝３に通じる排水口４を設ける。
（ロ）水受皿２の上面に溝３を設ける。
（ハ）植木鉢１と水受皿２の接合部分６の中心に凹凸を設け、接合部分６（図４の４）を接着剤１２で合体接着（図４の７）させる仕組みを設ける。
（二）植木鉢１の内部底の水滴が排水口４を流れて水受皿２の溝３に溜まり自然乾燥させる仕組みを設ける。
（ホ）植木鉢１と水受皿２はＹ型植木鉢と円形水受皿やＵ型植木鉢と角形水受皿など、色々組合せて接合部６を合体接着させる仕組みを設ける。
以上の如く成型された、互換性のある水受皿一体型植木鉢
【考案の詳細な説明】
【技術分野】
【０００１】本考案は植木鉢と水受皿に互換性を持たせ合体一体化させた室内用の「互換性のある水受皿一体型植木鉢」である。
【背景技術】
【０００２】従来の水受皿付き植木鉢は鉢と受皿が別々に分かれていて、植木への水遣りや取り扱いに不便を感じ、さらに、Ｙ型（チューリップ型）やＶ型の植木鉢は受皿の上に設置することは難しく倒れる危険があった。また、室内用の植木鉢としてはデザイン的にも乏しいものが多い。
【考案の概要】
【考案が解決しようとする課題】
【０００３】本考案は、既に実用新案登録願「［出願番号］実願２０１９−００９１１」で出願済みの「［考案の名称］水受皿一体型植木鉢」に互換性を持たせた「互換性のある水受皿一体型植木鉢」である。上記実用新案登録願の商品を製作するに際し、ベテランの陶芸士であれば轆轤で成形する事も容易であるが、これを商品化のため多量生産するには、材料が陶土、プラスチック、その他の原料の如何、生産方法が石膏成形、プレス成型、削り出し等の如何を問わず植木鉢と受皿を個々に別途生産したものを合体させることがより生産的である。
本考案は、植木鉢と受皿を個別に生産した段階で商品化して顧客に提供すれば、顧客の好みで植木鉢と受皿を色々組合わせて購入する選択肢が増える多様性が生まれる。
本考案は、植木鉢と受皿が一体となっていて、水遣りに際し余分な水は植木鉢１の底の排水口４を通って水受皿２の溝３に溜まり自然乾燥させる仕組みは出願済み上記実用新案登録願と同様であるが、顧客が本考案の商品を好みに合わせて購入後、植木鉢と水受皿の接合部６を、図１及び図２にあっては、ボルト８やネジ（雌ネジ７、雄ネジ９）等で合体固定（図１の１０又は図２の７）、また、図３にあっては、凸部１０と凹部１１で合体安定（図３の７）、さらには、図４にあっては、接着剤１２で接着固定（図４の７）させる水受皿一体型植木鉢で、植木鉢１「例えば、Ｙ型、Ｕ型、Ｖ型」と水受皿２「例えば、円形、六角形、四角形」を顧客の好みやその場の雰囲気に合わせて色々組合せて合体させることができる「互換性のある水受皿一体型植木鉢」である。
本考案は、植木鉢１の内部底の水滴が排水口４を流れて水受皿２の溝３に溜まり自然乾燥させる仕組みであるから、水遣りの際に遣りすぎて水が植木鉢の底に溜まり根腐れする心配はなく、植木鉢１と水受皿２が一体となっているのでバラケたり植木鉢１が植木のアンバランスで倒れる心配もなく、移動も容易でデザイン的にも多様性に富み、その場の雰囲気に合わせて植木鉢１と水受皿２を色々組合せて自宅や会社の応接間やホテルのロビーやカウンター上に置いたりして花と共に植木鉢のデザインや色彩を楽しむことも可能である。
【課題を解決するための手段】
【０００４】本考案は、互換性を持たせた植木鉢１と水受皿２の接合部６をボルト止めやネジ式、または凹部と凸部、また接着等により合体させ一体となっていて、水遣りに際し余分な水は植木鉢１の底の排水口４を通って水受皿２の溝３に溜まり自然乾燥させる仕組みを考案したものである。
【考案の効果】
【０００５】本考案は、互換性のある植木鉢１と水受皿２により、いろいろ組合せて合体させることができる水受皿一体型植木鉢はＹ型植木鉢と円形水受皿やＶ型植木鉢と角形水受皿を組み合わせるなど、デザインや色彩にも多様性が可能で、バランスを崩し倒れる心配もないので自宅や会社の応接間やホテルのロビーやカウンター上に置いたりして花と共に植木鉢のデザインや色彩を楽しむことも充分可能となる。
花瓶による切り花なら４〜５日、長くとも一週間程度の寿命であるが、本考案の植木鉢なら切花ではなく根付きの状態で設置出来るので花屋さんで買ってきた花の苗用ポットをそのまま鉢に納めれば植替える必要もなく、誰でも簡単に取り扱うことができ、花の寿命も２〜３週間、管理次第で一シーズン花を楽しむことも出来る。
【図面の簡単な説明】
【０００６】
【図１−１】本考案の正面斜投影図（以下、図１は接合部６がボルト止めによる合体方式）
【図１−２】本考案の正面図
【図１−３】本考案の正面図と隠れ線
【図１−４】本考案の左側面図と隠れ線
【図１−５】本考案の植木鉢１の左側面図と隠れ線
【図１−６】本考案の水受皿２の左側面図と隠れ線
【図１−７】本考案の植木鉢１の平面図
【図１−８】本考案の水受皿２の平面面
【図１−９】本考案の左側面断面図
【図１−１０】本考案の接合部６の合体状態を示す拡大左側面断面図
【図１−１１】水受皿２（図１の６）にＶ型植木鉢を合体させた左側面図と隠れ線
【図１−１２】水受皿２（図１の６）にＵ型植木鉢を合体させた左側面図と隠れ線
【図２−１】本考案の正面図（以下、図２は接合部６がネジ止めによる合体方式）
【図２−２】本考案の正面図と隠れ線
【図２−３】本考案の左側面図と隠れ線
【図２−４】本考案の植木鉢１と水受皿２が分離された左側面図と隠れ線
【図２−５】本考案の植木鉢１部分の平面図
【図２−６】本考案の水受皿２部分の平面面
【図２−７】本考案の接合部６の合体状態を示す拡大左側面断面図
【図３−１】本考案の正面図（以下、図３は接合部６の凸部と凹部による合体方式）
【図３−２】本考案の正面図と隠れ線
【図３−３】本考案の左側面図と隠れ線
【図３−４】本考案の植木鉢１と水受皿２が分離された左側面図と隠れ線
【図３−５】本考案の植木鉢１部分の平面図
【図３−６】本考案の水受皿２部分の平面図
【図３−７】本考案の接合部６の合体状態を示す拡大左側面断面図
【図４−１】本考案の正面図（以下、図４は接合部６を接着剤１２による接着固定方式）
【図４−２】本考案の正面図と隠れ線
【図４−３】本考案の左側面図と隠れ線
【図４−４】本考案の植木鉢１と水受皿２が分離された左側面図と隠れ線
【図４−５】本考案の植木鉢１部分の平面図
【図４−６】本考案の水受皿２部分の平面面
【図４−７】本考案の接合部６の合体状態を示す拡大左側面断面図
【図４−８】水受皿２にＶ型植木鉢を合体させた左側面図と隠れ線
【図４−９】水受皿２にＵ型植木鉢を合体させた左側面図と隠れ線
【写真の簡単な説明】
【０００７】
【写真１】
本考案の正面写真
【写真２の１】
本考案を解体して各部位と接合部６を示した写真（以下、写真２は接合部６がボルト止めによる合体方式）
【写真２の２】
本考案を解体して各部位の形状を示す写真
【写真２の３】
本考案の水受皿２にＶ型、Ｙ型、Ｕ型の植木鉢１を夫々合体させた写真
【写真３の１】
本考案を解体して各部位の形状を示した写真（以下、写真３は接合部６が凸部と凹部による合体方式）
【写真３の２】
本考案の水受皿２にＵ型、Ｙ型、Ｖ型の植木鉢１を夫々合体させた写真
【産業上の利用の可能性】
【０００８】本考案は、「互換性のある水受皿一体型植木鉢」であるので、今までの植木鉢と受皿では困難であったＹ型（チューリップ型）やＶ型の植木鉢を設置することも可能になり、デザイン的にも多様性が可能で、バランスを崩し倒れる心配もなくなるので、本考案が普及することで、自宅や会社の応接間やホテルのロビーや受付のカウンター上に切り花の花瓶ではなく、長持ちのする根付き花の植木鉢を置くこともできるので、植木鉢と水受皿をその場の雰囲気に合わせて植木鉢１と水受皿２をいろいろ組替える事もでき、植木鉢と受皿にデザイン性を持たせることで、顧客の選択肢が増え、花と共に植木鉢の美を楽しむことも可能となり新たな市場が生まれる。
また、本考案は、基本的には市販の苗用ポットが収容できる大きさを想定しており、花屋さんで買ってきた花の苗用ポットをそのまま鉢に納めれば植替える必要もなく、誰でも簡単に取り扱うことができる。本考案への直植えも可能であるが、この様に本考案が普及すれば苗用ポットも観賞用苗ポットとして新しい市場が開ける。
【符合の説明】
【０００９】  １は植木鉢
２は水受皿
３は溝
４は排水口
５は排水路
６は接合部
７は雌ネジ
８はボルト
９は雄ネジ
１０は凸部
１１は凹部
１２は接着剤
【図１−１】
0003227082.tif 000003
【図１−２】
0003227082.tif 000004
【図１−３】
0003227082.tif 000005
【図１−４】
0003227082.tif 000006
【図１−５】
0003227082.tif 000007
【図１−６】
0003227082.tif 000008
【図１−７】
0003227082.tif 000009
【図１−８】
0003227082.tif 000010
【図１−９】
0003227082.tif 000011
【図１−１０】
0003227082.tif 000012
【図１−１１】
0003227082.tif 000013
【図１−１２】
0003227082.tif 000014
【図２−１】
0003227082.tif 000015
【図２−２】
0003227082.tif 000016
【図２−３】
0003227082.tif 000017
【図２−４】
0003227082.tif 000018
【図２−５】
0003227082.tif 000019
【図２−６】
0003227082.tif 000020
【図２−７】
0003227082.tif 000021
【図３−１】
0003227082.tif 000022
【図３−２】
0003227082.tif 000023
【図３−３】
0003227082.tif 000024
【図３−４】
0003227082.tif 000025
【図３−５】
0003227082.tif 000026
【図３−６】
0003227082.tif 000027
【図３−７】
0003227082.tif 000028
【図４−１】
0003227082.tif 000029
【図４−２】
0003227082.tif 000030
【図４−３】
0003227082.tif 000031
【図４−４】
0003227082.tif 000032
【図４−５】
0003227082.tif 000033
【図４−６】
0003227082.tif 000034
【図４−７】
0003227082.tif 000035
【図４−８】
0003227082.tif 000036
【図４−９】
0003227082.tif 000037
【手続補正書】
【提出日】令和2年4月3日(2020.4.3)
【手続補正１】
【補正対象書類名】実用新案登録請求の範囲
【補正対象項目名】全文
【補正方法】変更
【補正の内容】
【実用新案登録請求の範囲】
【請求項１】
（イ）  植木鉢１の内部の底に水受皿２の溝３に通じる排水口４から植木鉢１の内部底の水滴が排水口４を流れて水受皿２の溝３に溜まり自然乾燥させる仕組みを設け、
（ロ）  植木鉢１と水受皿２の接合部６をボルト８、雄ネジ９、雌ネジ７で合体固定させる仕組みを設け、
（ハ）  植木鉢１と水受皿２はＹ型植木鉢と円形水受皿やＵ型植木鉢と角形水受皿を顧客の好みにより色々組合せて接合部６で合体固定できる仕組みを設け、
以上の（イ）〜（ハ）の構成からなる互換性のある水受皿一体型植木鉢
【請求項２】
（イ）  植木鉢１の内部の底に水受皿２の溝３に通じる排水口４から植木鉢１の内部底の水滴が排水口４を流れて水受皿２の溝３に溜まり自然乾燥させる仕組みを設け、
（ロ）  植木鉢１と水受皿２の接合部６が凹部１１と凸部１０により合体安定させる仕組みを設け、
（ハ）  植木鉢１と水受皿２はＹ型植木鉢と円形水受皿やＵ型植木鉢と角形水受皿を顧客の好みにより色々組合せて接合部６で合体安定できる仕組みを設け、
以上の（イ）〜（ハ）の構成からなる互換性のある水受皿一体型植木鉢
【請求項３】
（イ）  植木鉢１の内部の底に水受皿２の溝３に通じる排水口４から植木鉢１の内部底の水滴が排水口４を流れて水受皿２の溝３に溜まり自然乾燥させる仕組みを設け、
（ロ）  植木鉢１と水受皿２の接合部分６中心の凹凸接合部分６を接着剤１２で合体接着させる仕組みを設け、
（ハ）  植木鉢１と水受皿２はＹ型植木鉢と円形水受皿やＵ型植木鉢と角形水受皿を顧客の好みにより色々組合せて接合部６を合体接着させる仕組みを設け、
以上の（イ）〜（ハ）の構成からなる互換性のある水受皿一体型植木鉢